(57)【要約】      （修正有）【課題】温室内で使用される散水装置や暖房機器でつくりだされる高温多湿状態、温度格差、送風機器の能力不足による空気の滞りで発生する結露や水滴を防止、除去、又温度格差による暖房機器の不効率運転を制御する。【解決手段】温室内の天井付近にサーキュレーター１を設置、該サーキュレーターに風の直進性を持たせるため増速ダクト１１を取り付け、空気の対流を発生させ暖房機器２等による暖房で発生する温度格差、空気の滞りを解消し、空気の対流により結露、水滴が除去され、結果として温度格差を解消すると暖房機器の余分な運転を制御することが出来る。それには、温室内の機器を温度センサー３などで一括システム化することでより安定した制御が可能になるシステムである。【選択図】図４
2007117075.tif 000002
【特許請求の範囲】
【請求項１】
温室内床上に暖房機器を一方壁に寄せて設置し、天井付近にサーキュレーターを設置し、該サーキュレーターで起こされる風に直進性を持たせるため、増速ダクトを直列後方に設置するとともに、サーキュレーターを暖房機器寄りの温室長さ１／３付近に設置。温室内に起こる温室上部と温室下部との温度差の解消、及び温室内に起こる温室内の高湿度状態に起因する結露の発生を防止し、又これら温室内で起こる高温多湿、水滴、水溜り等に起因する生産物の病気発生を抑制するため、サーキュレーター及び温度センサー、乾湿センサーを使用し、コントロールを行うサーキュレーターシステム。
【請求項２】
請求項１記載のサーキュレーターシステムにおいて、コントロールボックスが設置され、この制御で暖房機器に内蔵された温度センサーにより暖房機器の燃焼が始まるとサーキュレーターが始動し、温室内中央に設置された乾湿センサーと温度センサーとによる感知で温室内に設置の散水装置のＯＮ、ＯＦＦの稼動がされ、サーキュレーター及び散水装置はコントロールボックス内のタイマーの設定時間で停止するように制御される。暖房機器とサーキュレーター、散水装置とが連動し稼動するシステムを統括して行うコントロールシステム。
【発明の詳細な説明】
【技術分野】
【０００１】本発明は、植物を温室内で栽培、発芽させる時期においてとられている方法の加温と散水をサーキュレーターを使用しコントロールするシステムに関する。
【背景技術】
【０００２】植物の栽培、発芽は水、空気（温度）、光、栄養が必要不可欠となり、とりわけ空気温度に関しては農地への移殖の時期を管理する上で重要な位置をしめており。そこで温室においては、温室内での散水が散水装置により、空気温度調整が暖房機器を使用し、又送風、換気に換気扇も使用している。
そして、従来の温室の制御システムは、特開平０５−３４４８２８  特開平０５−２９６４９３  特開２０００−１９９４９８  を記載。【０００３】
【特許文献１】特開平０５−３４４８２８
【特許文献２】特開平０５−２９６４９３
【特許文献３】特開２０００−１９９４９８
【発明の開示】
【発明が解決しようとする課題】
【０００４】温室内で行う散水により温室内における湿度が上昇するとともに、暖房機器の併用により温室内の上部及び下部の温度差が拡大し、温室内の空気の滞りが発生し、また暖房機による温室内の上部温度及び下部温度の温度差は不効率な燃焼になる。温室内と外気温度の温度差に起因し結露や水滴などを発生させ、これらを原因とする植物の病気の発生及び水滴による種子床に穴をあけるなどの影響を与える原因となる。そこで、これらを効率的に制御するためのシステムを開発する。
【課題を解決するための手段】
【０００５】本発明は、必要不可欠な機器としてサーキュレーターを設置し、これに暖房機器と連動させて、効率化をはかるものである。【０００６】そこで、温室内において、送風の為にサーキュレーターを天井付近に設置し、該サーキュレーターで起こされる風に直進性を持たせる為に増速ダクトを直列に取り付ける。その事により到達距離、風の直進性が増幅される。【０００７】温室内に起こる温室上部と温室下部との温度差の解消及び温室内に起こる温室内の高湿度状態に起因する結露の発生を防止し、又これら温室内で起こる温室内の高温多湿、水滴、水溜り等に起因する生産物の病気発生を抑制する為、サーキュレーター及び温度センサー乾湿センサーを使用しコントロールを行うサーキュレーターシステム。【０００８】温室内において、設定しようとする温度に設定する為使用する暖房機器とサーキュレーターと散水装置とが連動し稼動するシステムを統合して行うコントロールサーキュレーターシステム。
【発明の効果】
【０００９】以上の様に、温室内に増速ダクト付設のサーキュレーターを設置することで風の直進性と到達距離を増幅でき、安定した空気の循環が可能となる。そのことで、結露、水滴を除去することが可能となる。又短時間での換気作業が可能になり、更に必要不可欠な暖房機器を連動しシステム化することによっての自動化、省エネ化が可能になる。【００１０】又、結露、水滴、水溜りによる生産物への影響も軽減でき、安定した植物栽培、発芽が得られることで、農地への移殖時期の管理もしやすくできる。
【発明を実施させるための形態】
【００１１】図１は、サーキュレーターの設置箇所を示す。温室Ａ内、床Ａ１に暖房機器２を一方壁へ寄せて設置し、サーキュレーター１を天井Ａ２付近に設置し、該サーキュレーターで起こされる風に直進性を持たせるために増速ダクト１１を直列後方に取り付ける。サーキュレーターの設置は、温室長さＬの暖房機器２寄りのＬ／３位置とする。
【００１２】サーキュレーター１より送り出された風は増速ダクト１１で増速されて、温室内天井付近を流れ、温室奥の壁にぶつかり、風の抵抗のない床Ａ１面付近を流れ暖房機器２付近へ戻り、該暖房機器で温められ、この暖められた空気が上昇しサーキュレーターに吸い込まれる。
【００１３】このように、自然と空気の対流が出来、空気の滞りも解消される。さらに、暖房機器で暖められて乾燥した空気が対流させられる為、温室内の結露、水滴を除去することも出来、植物の病気の発生、種子への影響も軽減する事も可能になる。
【００１４】さらに、図２で示されるように、サーキュレーター１を効率良く稼動させる為に、暖房機器との連動をし、温室Ａ中央に配置した暖房機器２に内蔵された温度センサー３による温度感知で自動制御を行なうようシステム化する。
【００１５】又、図３で示すように、暖房機器２に内蔵された温度センサー３により暖房機器の燃焼が始まるとサーキュレーター１が始動する。それと同時に、温室Ａ内設置された散水装置４のＯＮ、ＯＦＦの稼動が乾湿センサー４１で稼動する。そこで、暖房機器２により温室Ａ内の温度上昇が始まる。その際、サーキュレーター１による図４で示す空気対流で従来よりも短時間で温室温を上げることが可能となる。
【００１６】温室温度が設定温度まで上昇すると、暖房機器２の燃焼が停止するが暖房機器２の送風機は一定時間稼動。サーキュレーター１及び散水装置４も引き続き稼動。そして一定時間後に暖房機器２の送風機が停止される。
【００１７】サーキュレーター１及び散水装置４は、コントロールボックス５内タイマーの設定時間後に停止をする。
【００１８】以上の工程を温度センサーとコントロールボックス５において繰り返し管理をするシステム。その事により自動運転が可能になる。また、暖房機器にセンサーが内蔵されていない場合は任意の位置にセンサーを設置しコントロールボックス５内への接続が可能である。
【図面の簡単な説明】
【００１９】
【図１】サーキュレーター設置位置図
【図２】自動システム連結図
【図３】各機器配置
【図４】空気循環図
【符号の説明】
【００２０】１    サーキュレーター本体
２    暖房機器
３    温度センサー
４    散水装置
５    自動制御コントロールボックス
１１  増速ダクト
４１  乾湿センサー
【図１】
2007117075.tif 000003
【図２】
2007117075.tif 000004
【図３】
2007117075.tif 000005
【図４】
2007117075.tif 000006